(57)【特許請求の範囲】
【請求項１】
酸素供給状態に応じて燃焼状態が変化するセンサーバーナを備え、該センサーバーナの燃焼状態に応じた検知信号を出力する熱電対によりメインバーナの酸素供給状態の悪化を検知して不完全燃焼を防止する不完全燃焼防止装置において、
上記センサーバーナは、
複数の炎口を形成して炎口形成エリアとその周囲に炎口を形成しない無炎口エリアとを設けたバーナプレートと、該バーナプレートを囲んで該炎口形成エリアの火炎に対して周囲の燃焼用空気との接触を妨げる筒体とを有する全一次空気式バーナとで構成され、
上記熱電対の先端の感熱部を上記筒体に挿入し上記バーナプレートの上記無炎口エリアの上方に配置したことを特徴とする不完全燃焼防止装置。
【請求項２】
上記熱電対の先端の感熱部を上記バーナプレート表面からの高さを６ｍｍ以下にして配置したことを特徴とする請求項１記載の不完全燃焼防止装置。
【請求項３】
上記熱電対が挿入される上記筒体の開口部に断熱材を設けたことを特徴とする請求項１または２記載の不完全燃焼防止装置。
【発明の詳細な説明】
【０００１】
【発明の属する技術分野】
本発明は燃焼用空気を強制的に取り込んで燃焼する強制燃焼式ガス給湯器等の燃焼器に組み込んで、その不完全燃焼を防止する不完全燃焼防止装置に関する。
【０００２】
【従来の技術】
従来より、燃焼器においては、排気の漏洩による室内酸欠状態や燃焼器の給排気系不良によって起きる不完全燃焼を検知して一酸化炭素中毒を防止する安全装置が設けられている。
こうした安全装置は、図５に示されるように、燃料ガスと燃焼用空気とが吸入される導入管７１と、導入管７１から吸入されたガスと空気とが混合される混合管７２と、この混合管７２で混合された混合気が噴出するセラミックス製のバーナプレート７３と、このバーナプレート７３の全周を囲んでバーナプレート７３の上に形成される火炎への燃焼用二次空気の接触を妨げる円筒形の燃焼筒７５と、この燃焼筒７５を混合管７２に装着して固定するビス７６とから、全一次空気式のバーナ本体７０を構成する。
バーナプレート７３の中央には主炎口部７３ａ（炎口形成エリア）が複数の開口に分割されて形成され、主炎口部７３ａから所定距離をあけた外周には円周上に並んだ複数の開口からなる保炎炎口部７３ｂが形成される。
このバーナ本体７０は、導入管７１の開口部７１ａ近傍にガスノズル８１を設け、燃焼に必要な空気を導入管７１を介して混合管７２へ吸入して、基本的に燃焼用二次空気を必要としない全一次空気燃焼を行うものである。
【０００３】
このバーナ本体７０上部の燃焼筒７５には、熱電対９０がその先端の感熱部９０ａ（温接点）を燃焼筒７５内に臨ませて溶接により固定されると共に、コントローラと電気的に接続される。この感熱部９０ａは、バーナプレート７３の主炎口部７３ａの真上に配置される。
熱電対９０は、感熱部９０ａが火炎により加熱されることにより、温接点と冷接点（図示略）との間で電位差が生じて熱起電力Ｖが発生し、この起電力Ｖからコントローラにて火炎温度を検知する。この熱電対９０とバーナ本体７０とからセンサーバーナ２が構成される。
【０００４】
こうした構成のセンサーバーナ２では、全一次空気燃焼が行われ、火炎（図５中、実線）がバーナプレート７３表面から熱電対９０の感熱部９０ａに接触する位置まで形成される。
この状態から、風量の低下による一次空気比λの低下等に伴って供給酸素が不足すると、燃焼状態が悪化して燃料ガスの燃焼速度が噴出速度より遅くなり、バーナプレート７３上でバランスすることができなくなり、火炎がリフトして燃焼筒７５の先端開口７５ａに保炎される（図５中、破線）。このように火炎が大きくリフトして熱電対９０が低温の未燃ガスによって囲まれるため、その起電力Ｖは低くなる。
【０００５】
このような火炎の形成位置変化による起電力Ｖの低下を捉えることにより、給湯器のメインバーナが不完全燃焼を起こす前に、燃料ガスの供給を遮断し燃焼を停止させる。
【０００６】
【発明が解決しようとする課題】
しかしながら、このセンサーバーナ２には、以下のような問題があった。
第一の問題は、一次空気比λの低下等に伴って供給酸素が不足して火炎がリフトする際に、低温の未燃ガスが燃焼筒７５内で下方から順に充満してくるため、熱電対９０の感熱部９０ａがバーナプレート７３表面から離れて設けられるほど、燃焼状態の悪化に対して起電力Ｖの変化が遅れることである。
【０００７】
これを燃焼状態の悪化の進行に合わせて図６〜図９を用いて詳しく説明する。
図６〜図９は、燃焼筒７５内の温度分布を等起電力線を用いて示したもので、一次空気比λがそれぞれ異なる。各λの大小関係は、符号ｎ末尾の数字が小さいほどλ値が小さい。
図６に示された温度分布は、良好な燃焼をしている時のもので（λ＝ｎ４）、等起電力線の間隔がほぼ均一である。燃焼状態が悪化し始めると（λ＝ｎ３）、火炎がリフトし始めるため、図７に示されるように、バーナプレート７３表面付近は、低温の未燃ガスにより温度が急激に低下し、一方、バーナプレート７３表面からある程度離れた場所は、燃焼が完結していることから温度が高いままで殆ど変化しない。
【０００８】
そして、更に燃焼状態が悪化すると、図８（λ＝ｎ２），図９（λ＝ｎ１）に示されるように、等起電力線の密になっている部分が上昇すると共に、温度が一層低下する。つまり、火炎が更に上昇し未燃ガス領域が拡大して、バーナプレート７３から離れた場所もようやく温度が低下する。
感熱部９０ａが主炎口部７３ａの真上に配置されるため、燃焼悪化がかなり進行してから起電力Ｖが変化し、燃焼悪化の検知が遅れていた。
【０００９】
第二の問題としては、燃焼筒７５の中に形成される火炎中に熱電対９０を挿入しているため、燃焼筒７５内を流れる混合気が熱電対９０上部で渦流を形成し、混合気の流れが熱電対９０によって乱されることから、火炎が不安定に形成され、熱電対９０の起電力Ｖが大きくふらついてしまうことである。
しかも、点火する度に、この混合気の渦の形成状態が異なるため、熱電対９０の起電力特性がばらつきやすかった。
【００１０】
そこで、本発明の不完全燃焼防止装置は上記課題を解決し、熱電対の起電力のばらつきを抑えて酸素供給状態の悪化を安定して検知することを目的とする。
【００１１】
【課題を解決するための手段】
上記課題を解決する本発明の請求項１記載の不完全燃焼防止装置は、
酸素供給状態に応じて燃焼状態が変化するセンサーバーナを備え、該センサーバーナの燃焼状態に応じた検知信号を出力する熱電対によりメインバーナの酸素供給状態の悪化を検知して不完全燃焼を防止する不完全燃焼防止装置において、
上記センサーバーナは、
複数の炎口を形成して炎口形成エリアとその周囲に炎口を形成しない無炎口エリアとを設けたバーナプレートと、該バーナプレートを囲んで該炎口形成エリアの火炎に対して周囲の燃焼用空気との接触を妨げる筒体とを有する全一次空気式バーナとで構成され、
上記熱電対の先端の感熱部を上記筒体に挿入し上記バーナプレートの上記無炎口エリアの上方に配置したことを要旨とする。
【００１２】
また、本発明の請求項２記載の不完全燃焼防止装置は、上記請求項１記載の不完全燃焼防止装置において、
上記熱電対の先端の感熱部を上記バーナプレート表面からの高さを６ｍｍ以下にして配置したことを要旨とする。
【００１３】
また、本発明の請求項３記載の不完全燃焼防止装置は、上記請求項１または２記載の不完全燃焼防止装置において、
上記熱電対が挿入される上記筒体の開口部に断熱材を設けたことを要旨とする。
【００１４】
上記構成を有する本発明の請求項１記載の不完全燃焼防止装置は、熱電対の先端の感熱部がバーナプレートの無炎口エリアの上方に配置されるため、感熱部によって火炎を乱すことがなく、起電力値がふらつきにくい。
従って、点火する度に熱電対の起電力特性が大きくばらつくことがなく、燃焼悪化を検知するタイミングがばらつきにくい。
また、筒体が主炎口形成エリアと熱電対とを囲んで、火炎と熱電対との間への燃焼用二次空気の混入を阻止するため、保炎性が良く、熱電対は、逆風等の外乱の影響を受けにくくなり、しかも、未燃ガスの燃焼による温度上昇の影響を受けず、閉塞等による空気比の変化を的確に捉えることができる。
もし筒体を設けないと、火炎が燃焼用二次空気と接触して保炎性が悪くなるため、メインバーナが完全燃焼をしている時でさえもリフトすることがあり、起電力が得られず不完全燃焼と判断したり、二次空気により未燃ガスが燃焼し起電力が得られてメインバーナの不完全燃焼を検知できないといった不具合が生じる。
これに対して、センサーバーナに筒体を設けた本発明では、酸素供給状態の悪化をセンサーバーナで的確に検知して、メインバーナの不完全燃焼を防止する。
【００１５】
また、本発明の請求項２記載の不完全燃焼防止装置は、供給酸素が不足して火炎がリフトする際に、燃焼状態が悪化するにつれて低温の未燃ガスが筒体内でバーナプレート表面上から徐々に充満していくことから、バーナプレート表面近くに配置された熱電対の感熱部が出力する起電力は、緩やかに変化する。
尚、実験データから、バーナプレート表面と熱電対の感熱部との距離が６ｍｍ以下である場合において、起電力の変化が緩やかになる。
一般に、燃焼悪化に対して起電力が急激に変化するセンサーバーナでは、火炎が揺れる程度の小さな一次空気比の変化に対して、起電力値が不安定にふらつくことがある。本発明では、起電力の変化が緩やかなため、燃焼悪化の検知時期がばらつきにくい。
このようにして、燃焼状態の悪化をセンサーバーナで検知して、メインバーナが不完全燃焼することを防止する。
【００１６】
また、本発明の請求項３記載の不完全燃焼防止装置は、火炎がリフトするまで筒体が高温ガスに接していることから、筒体の温度が燃焼の悪化に伴って変化するものの、熱電対が挿入される筒体の開口部に断熱材を設けたため、筒体付近から熱電対感熱部への伝熱の影響を抑えることができ、起電力特性が緩やかになり、的確に燃焼悪化を検知できる。
【００１７】
【発明の実施の形態】
以上説明した本発明の構成・作用を一層明らかにするために、以下本発明の不完全燃焼防止装置の好適な実施形態について説明する。
本実施形態は、従来例と熱電対の取付が異なる。尚、従来例と重複するものに関しては同じ符号を用いて説明を省略する。
【００１８】
図３は、センサーバーナ１を備えた強制燃焼式ガス給湯器の燃焼部を上から見た説明図である。この給湯器は、燃焼室５０内には偏平な複数のメインバーナ５１が並設され、それらのスロート５２先端に一次空気調整用のダンパー５３が設けられ、ノズル台５４に設けられたガスノズル５５から燃料ガスが供給される。このノズル台５４に設けられたガス流路には能力（燃焼量）を調整するための比例制御弁やガス流路を開閉する電磁弁が設けられる。また、燃焼室５０の下部には送風ファン（図示略）が設けられ、燃焼用空気を燃焼室５０に強制供給しメインバーナ５１でブンゼン燃焼を行い、この燃焼熱で熱交換器を加熱して出湯するように構成されている。
【００１９】
図１は、メインバーナ５１に並設され、燃焼筒１０に熱電対９０を装着したセンサーバーナ１を表す。
燃焼筒１０内には、熱電対９０の感熱部９０ａが、燃焼筒１０の壁面に外側から挿通され、バーナプレート７３の表面から所定間隔（４．７ｍｍ）をあけてバーナプレート７３と平行に設けられる。燃焼筒１０における熱電対９０の挿通口には、碍子やセラミックウールといったセラミック製の断熱材１１が設けられる。
このバーナプレート７３は、図２に示されるように、中央に主炎口部７３ａ（主炎口形成エリア）が複数の開口に分割されて形成され、主炎口部７３ａから所定距離をあけた外周には円周上に並んだ複数の開口からなる保炎炎口部７３ｂが形成される。各開口の直径は１．１ｍｍである。
【００２０】
主炎口部７３ａの半径は４．９ｍｍで、保炎炎口部７３ｂの外側半径は、７．７５ｍｍである。つまり、主炎口部７３ａと保炎炎口部７３ｂとの間となる、バーナプレート７３の中心から４．９ｍｍ〜６．６５ｍｍの場所には、無炎口部７３ｃ（無炎口エリア）がリング状に形成される。
熱電対９０の感熱部９０ａの中心先端とバーナプレート７３の中心との距離ｘは５．５ｍｍで、感熱部９０ａの中心先端とバーナプレート７３の表面との距離ｈは４．７ｍｍである。つまり、感熱部９０ａの中心先端は、無炎口部７３ｃの真上に配置され、主炎口部７３ａにはかからない。
【００２１】
上述した構成のセンサーバーナ１は、点火操作により給湯器のメインバーナ５１からセンサーバーナ１に火移りしてバーナプレート７３の表面上で火炎を形成する。この場合、火炎を囲む燃焼筒１０により二次空気の供給が遮られ、全一次空気燃焼が行われる。尚、燃焼筒１０は、必ずしも火炎全体を二次空気から妨げなくてもよい。つまり、火炎の先端が若干二次空気に触れるような構成であってもよい。
【００２２】
次に、室内の酸素濃度の低下や、給湯器の排気部の閉塞により、センサーバーナ１への供給酸素が不足する時の燃焼停止制御について説明する。
給排気系が閉塞して風量が減少する場合には、燃焼用の空気量が減少するため混合気の空気比λが低下し、一方、室内の酸素濃度が低下する場合には、風量（空気比λ）が同じであっても燃焼に寄与する酸素量が減少し、何れにしても供給酸素が減少する。センサーバーナ１は、メインバーナ５１に併設されているため、メインバーナ５１の酸素供給状態に合わせてその酸素供給状態が変化する。
【００２３】
このように供給酸素が減少すると、混合管７２内の空気比λが減少し燃焼速度が低下して、火炎はバーナプレート７３上からリフトして、燃焼筒１２の上端開口で保炎され、周囲から二次空気が供給されブンゼン燃焼に切り替わる。
熱電対９０の出力する起電力Ｖは、図４の実線に示されるように、給湯器への供給酸素が不足するにつれて、つまり、λが減少する（図４で左側に進む）につれて、緩やかに低下する。
【００２４】
そして、起電力Ｖが予め設定しておいた判定基準値Ｖｓを下回った時に、電磁弁を閉成し、燃料ガスの供給を停止する。
つまり、メインバーナ５１が不完全燃焼を起こす前に、火炎が酸素供給不足に対して敏感に変化するセンサーバーナ１によって酸素不足を捉えて、燃焼を停止する制御を行ってメインバーナ５１の不完全燃焼を防止する。
【００２５】
次に、保炎炎口部７３ｂや燃焼筒１０をセンサーバーナ１に設ける利点について説明する。
もし、バーナプレート７３に保炎炎口部７３ｂを設けなかったり、燃焼筒１０内に二次空気が入るような構成にした場合には、保炎性が悪いためメインバーナ５１が完全燃焼をしている時でさえもリフトすることがあり、起電力が得られず不完全燃焼と判断したり、燃焼筒１０内に二次空気を送り込む構成では、二次空気により未燃ガスが燃焼し起電力が得られてメインバーナ５１の不完全燃焼を検知できないことがある。
【００２６】
これに対して、本実施形態では、主炎口部７３ａの周囲に保炎炎口部７３ｂを形成したため、保炎炎口部７３ｂの火炎により主炎口部７３ａの主炎が保炎され、しかも、誘引される燃焼用二次空気が主炎口部７３ａや保炎炎口部７３ｂの火炎に接触することを燃焼筒１０が妨げるため、この二次空気による主炎の吹き飛びが防止され、主炎の保炎性が良好となり、上述のような不具合は生じない。
このようにして、給排気系の閉塞等による空気比の低下をセンサーバーナ１で正確に検知でき、メインバーナ５１の不完全燃焼を防止することができる。
【００２７】
次に、感熱部９０ａをバーナプレート７３に近づけて配置する利点について実験データを用いて説明する。
図４は、感熱部９０ａの中心先端のバーナプレート７３表面からの高さｈを５．６〜６．２ｍｍと変化させて得られた起電力特性図である。図中の実線は高さｈが６ｍｍ以下のもので、破線は比較例（ｈ＝６．２）を示す。尚、感熱部９０ａのバーナプレート７３からの距離ｘはどれも５．５ｍｍで、感熱部９０ａが主炎の外側に配置される。
【００２８】
供給酸素の不足により火炎がリフトしていく際に、燃焼状態が悪化するにつれて低温の未燃ガスがバーナプレート７３表面から徐々に充満していく。
従って、バーナプレート７３からかなり離して熱電対９０を配置する場合には、燃焼状態の悪化がかなり進行してから、低温の未燃ガスが感熱部９０ａ付近へ達するため、起電力Ｖが急激に変化する。この起電力特性は、図６〜図９に示される温度分布からも分かる。尚、図中の点Ａは比較例（ｘ，ｈ）＝（４，６．２）を、点Ｂは本実施形態（ｘ，ｈ）＝（５．１，４．７）を示す。
【００２９】
このように、起電力Ｖが急激に変化する一次空気比λで燃焼している場合には、一次空気比λの値が少し増減するだけで、起電力値Ｖが大きく増減してしまう。つまり、火炎が揺れる程度の小さな一次空気比λの変化でも、起電力Ｖが大幅に変化してしまい、起電力値がふらつき、燃焼の悪化を検知するタイミングがばらつきやすいという欠点がある。
これに対し、本実施形態では、感熱部９０ａをバーナプレート７３に近接して配置したため、起電力Ｖの変化が緩やかになり、燃焼悪化の検知時期がばらつきにくい。しかも、起電力Ｖが燃焼状態の悪化に追従して変化するため、正確に燃焼悪化を検知してメインバーナ５１の不完全燃焼の防止動作を行うことができる。
図４から、高さｈが６ｍｍ以下の場合では、起電力Ｖの変化がリニアで緩やかで燃焼悪化の検知時期がばらつきにくいことが分かる。尚、感熱部９０ａは、バーナプレート７３に接触しても構わない。
【００３０】
こうした起電力特性は、図６〜図９に示されるように、感熱部９０ａのバーナプレート７３中心からの距離ｘによっても変化する。
これについて、能力大と能力小とにおいて、熱電対９０の挿入位置を変えて、その時の起電力Ｖを３回ずつ測定して得られた実験データを表１に示す。
【００３１】
【表１】
0004203219.tif 000002
【００３２】
熱電対９０の起電力のばらつきは、燃焼筒１０のセンター側（主炎口部上方）に感熱部９０ａが配置される場合の方が、燃焼筒１０の壁面側（無炎口部上方）よりも大きい。
熱電対９０が火炎に挿入される場合（ｘ＝４や４．８）には、熱電対９０が保炎器の働きをするため、この保炎効果により起電力特性に大きなばらつきが生じてしまうが、本実施形態では、熱電対９０は主炎の外側に配置されるため、混合気が燃焼筒７５内をスムーズに流れ、主炎の形成を妨害せず、起電力Ｖが安定してあまりばらつかず、起電力値Ｖが判定基準値Ｖｓを下回って不完全燃焼防止動作を行うタイミングもばらつきにくい。
尚、保炎炎口部７３ｂで形成される火炎は、主炎口部７３ａでの火炎よりも流速がかなり小さく、起電力特性に殆ど影響を及ぼさない。
【００３３】
ところで、燃焼の悪化により火炎がリフトするまで、高温ガスが燃焼筒１０に接しているため、燃焼筒１０の温度が燃焼の悪化に伴って急激に低下するが、起電力はこの燃焼筒１０の温度変化の影響を受けることがない。
これは、熱電対９０が挿入される燃焼筒１０の開口部に断熱材１１を装着したために、燃焼筒１０付近から熱電対９０の感熱部９０ａへ伝熱しにくくなるからである。この結果、起電力特性が緩やかになり、的確に燃焼悪化を検知できる。
【００３４】
上述のように、熱電対９０の感熱部９０ａを、バーナプレート７３の無炎口部７３ｃの上方に配置したり、感熱部９０ａのバーナプレート７３表面からの高さｈが６ｍｍ以下になるように配置したり、熱電対９０の燃焼筒１０取付部の周囲を断熱材１１で囲むことにより、起電力Ｖの変動を低減することができる。
この結果、給排気系の閉塞等による空気比λの低下をセンサーバーナ１で正確に検知して、メインバーナ５１の不完全燃焼を未然に防止して、使用者の安全を確保できる。
【００３５】
以上、本発明の実施形態について説明したが、本発明はこうした実施形態に何等限定されるものではなく、本発明の趣旨を逸脱しない範囲において、種々なる態様で実施し得ることは勿論である。
例えば、燃焼筒１０に断熱材１１を設けなくてもよい。
また、熱電対９０を傾斜して燃焼筒１０に設けてもよい。
また、バーナプレート７３に保炎炎口部７３ｂを形成しなくてもよい。
【００３６】
【発明の効果】
以上詳述したように、本発明の請求項１記載の不完全燃焼防止装置によれば、熱電対の感熱部がバーナプレートの無炎口エリアの上方に配置されるため、感熱部によって火炎の形成を乱すことや保炎することがなく、起電力のばらつきを抑えることができ、適正なタイミングで燃焼の悪化を検知することができる。
しかも、筒体が主炎口形成エリアと熱電対とを囲んで、火炎と熱電対との間への燃焼用二次空気の混入を阻止するため、保炎性が良く、熱電対は、逆風等の外乱の影響を受けにくくなり、しかも、未燃ガスの燃焼による温度上昇の影響を受けず、閉塞等による空気比の変化を的確に捉えることができる。
従って、酸素供給状態の悪化を適切に検知して、メインバーナの不完全燃焼を防止することができる。
【００３７】
更に、本発明の請求項２記載の不完全燃焼防止装置によれば、熱電対の感熱部を無炎口エリアから高さ６ｍｍ以下の場所に配置したため、起電力が緩やかに変化し、燃焼悪化の検知時期がばらつきにくい。
従って、酸素供給状態の悪化を適切に検知して、メインバーナの不完全燃焼を防止することができる。
【００３８】
更に、本発明の請求項３記載の不完全燃焼防止装置によれば、熱電対が挿入される筒体の開口部に断熱材を設けたため、起電力特性が緩やかになり、燃焼悪化を検知するタイミングがばらつきにくく、適切な時期にメインバーナの不完全燃焼を防止できる。
【図面の簡単な説明】
【図１】本実施形態としてのセンサーバーナを側面から見た断面図である。
【図２】本実施形態としてのセンサーバーナの上面図である。
【図３】本実施形態としての不完全燃焼防止装置の上面図である。
【図４】熱電対の出力特性図である。
【図５】従来例のセンサーバーナを側面から見た断面図である。
【図６】センサーバーナにおける燃焼筒内の温度分布図である。
【図７】センサーバーナにおける燃焼筒内の温度分布図である。
【図８】センサーバーナにおける燃焼筒内の温度分布図である。
【図９】センサーバーナにおける燃焼筒内の温度分布図である。
【符号の説明】
１，２…センサーバーナ、１０，７５…燃焼筒、１１…断熱材、７３…バーナプレート、７３ａ…主炎口部、７３ｂ…保炎炎口部、７３ｃ…無炎口部、９０…熱電対、９０ａ…感熱部。
【図１】
0004203219.tif 000003
【図２】
0004203219.tif 000004
【図３】
0004203219.tif 000005
【図４】
0004203219.tif 000006
【図５】
0004203219.tif 000007
【図６】
0004203219.tif 000008
【図７】
0004203219.tif 000009
【図８】
0004203219.tif 000010
【図９】
0004203219.tif 000011